【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のプリアンブル・フィールドを備えるパケットを、ワイヤレス・デバイスにおいて、生成することと、
前記パケットがプロトコルのパケットであることを指示するために、前記第１のプリアンブル・フィールドに含まれる長さ指示を、３の倍数ではない値に設定することと、
第１の周波数ドメイン極性シーケンスを前記第１のプリアンブル・フィールドにかけることによって第１の反復プリアンブル・フィールドを生成することと、
前記ワイヤレス・デバイスから前記パケットを送信することと、を備え、ここにおいて前記パケットは、前記第１のプリアンブル・フィールドおよび前記第１の反復プリアンブル・フィールドを備える、方法。
【請求項２】
前記第１のプリアンブル・フィールドは、複数のデバイスによって復号可能であり、前記パケットは、前記複数のデバイスのサブセットのみによって復号可能である第２のプリアンブル・フィールドを備える、請求項１に記載の方法。
【請求項３】
前記第１の周波数ドメイン極性シーケンスは、−１または＋１の所定のシーケンスを備える、請求項１に記載の方法。
【請求項４】
第２の周波数ドメイン極性シーケンスを第２のプリアンブル・フィールドにかけることによって第２の反復プリアンブル・フィールドを生成することをさらに備え、ここにおいて、前記パケットは、前記第２の反復プリアンブル・フィールドを備える、請求項１に記載の方法。
【請求項５】
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、請求項１に記載の方法。
【請求項６】
前記プロトコルは、高効率ワイヤレス（ＨＥＷ）プロトコルである、請求項１に記載の方法。
【請求項７】
ワイヤレス通信のための装置において、
第１のプリアンブル・フィールドを備えるパケットを生成するための手段と、
ここにおいて、前記第１のプリアンブル・フィールドは、前記パケットがプロトコルのパケットであることを指示するために、３の倍数ではない値に設定される長さ指示を備える、
第１の周波数ドメイン極性シーケンスを前記第１のプリアンブル・フィールドにかけることによって第１の反復プリアンブル・フィールドを生成するための手段と、
前記装置から前記パケットを送信するための手段と、を備え、ここにおいて前記パケットは、前記第１のプリアンブル・フィールドおよび前記第１の反復プリアンブル・フィールドを備える、装置。
【請求項８】
前記第１のプリアンブル・フィールドは、複数のデバイスによって復号可能であり、前記パケットは、前記複数のデバイスのサブセットのみによって復号可能である第２のプリアンブル・フィールドを備える、請求項７に記載の装置。
【請求項９】
前記第１の周波数ドメイン極性シーケンスは、−１または＋１の所定のシーケンスを備える、請求項７に記載の装置。
【請求項１０】
第２の周波数ドメイン極性シーケンスを第２のプリアンブル・フィールドにかけることによって第２の反復プリアンブル・フィールドを生成するための手段をさらに備え、ここにおいて前記パケットは、他の反復プリアンブル・フィールドを備える、請求項７に記載の装置。
【請求項１１】
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、請求項７に記載の装置。
【請求項１２】
前記プロトコルは、高効率ワイヤレス（ＨＥＷ）プロトコルである、請求項７に記載の装置。
【請求項１３】
コンピュータによって実行されると、前記コンピュータに、請求項１乃至６のうちのいずれか一項に記載の方法を行わせるコードを備える、コンピュータプログラム。
【手続補正２】
【補正対象書類名】明細書
【補正対象項目名】０１５２
【補正方法】変更
【補正の内容】
【０１５２】
[00161]  前述の内容が本開示の態様を対象としている一方、本開示の他のおよびさらなる態様は、その基本的な範囲から逸脱することなしに考案されることができ、その範囲は、次の特許請求の範囲によって決定される。
以下に本願の出願当初の特許請求の範囲に記載された発明を付記する。
［Ｃ１］
ワイヤレス通信の方法であって、
第１のプリアンブル・フィールドを備えるパケットを、ワイヤレス・デバイスにおいて、生成することと、
第１の周波数ドメイン極性シーケンスを前記第１のプリアンブル・フィールドにかけることによって第１の反復プリアンブル・フィールドを生成することと、
前記ワイヤレス・デバイスから前記パケットを送信することと、を備え、ここにおいて前記パケットは、前記第１のプリアンブル・フィールドおよび前記第１の反復プリアンブル・フィールドを備える、方法。
［Ｃ２］
前記第１のプリアンブル・フィールドは、複数のデバイスによって復号可能であり、前記パケットは、前記複数のデバイスのサブセットのみによって復号可能である第２のプリアンブル・フィールドを備える、Ｃ１に記載の方法。
［Ｃ３］
前記第１の周波数ドメイン極性シーケンスは、−１または＋１の所定のシーケンスを備える、Ｃ１に記載の方法。
［Ｃ４］
前記第１のプリアンブル・フィールドは、３の倍数ではない長さ指示を備える、Ｃ１に記載の方法。
［Ｃ５］
第２の周波数ドメイン極性シーケンスを第２のプリアンブル・フィールドにかけることによって第２の反復プリアンブル・フィールドを生成することをさらに備え、ここにおいて、前記パケットは、前記第２の反復プリアンブル・フィールドを備える、Ｃ１に記載の方法。
［Ｃ６］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ１に記載の方法。
［Ｃ７］
ワイヤレス通信を実施するように構成されている装置であって、
第１のプリアンブル・フィールドを備えるパケットを生成することと、
第１の周波数ドメイン極性シーケンスを前記第１のプリアンブル・フィールドにかけることによって第１の反復プリアンブル・フィールドを生成することと、を行うように構成されているプロセッサと、
前記装置から前記パケットを送信するように構成されている送信機と、を備え、ここにおいて前記パケットは、前記第１のプリアンブル・フィールドおよび前記第１の反復プリアンブル・フィールドを備える、装置。
［Ｃ８］
前記第１のプリアンブル・フィールドは、複数のデバイスによって復号可能であり、前記パケットは、前記複数のデバイスのサブセットのみによって復号可能である第２のプリアンブル・フィールドを備える、Ｃ７に記載の装置。
［Ｃ９］
前記第１の周波数ドメイン極性シーケンスは、−１または＋１の所定のシーケンスを備える、Ｃ７に記載の装置。
［Ｃ１０］
前記第１のプリアンブル・フィールドは、３の倍数ではない長さ指示を備える、Ｃ７に記載の装置。
［Ｃ１１］
前記プロセッサは、第２の周波数ドメイン極性シーケンスを第２のプリアンブル・フィールドにかけることによって第２の反復プリアンブル・フィールドを生成するようにさらに構成されており、ここにおいて、前記パケットは、他の反復プリアンブル・フィールドを備える、Ｃ７に記載の装置。
［Ｃ１２］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ７に記載の装置。
［Ｃ１３］
ワイヤレス通信のための装置において、
第１のプリアンブル・フィールドを備えるパケットを生成するための手段と、
第１の周波数ドメイン極性シーケンスを前記第１のプリアンブル・フィールドにかけることによって第１の反復プリアンブル・フィールドを生成するための手段と、
前記装置から前記パケットを送信するための手段と、を備え、ここにおいて前記パケットは、前記第１のプリアンブル・フィールドおよび前記第１の反復プリアンブル・フィールドを備える、装置。
［Ｃ１４］
前記第１のプリアンブル・フィールドは、複数のデバイスによって復号可能であり、前記パケットは、前記複数のデバイスのサブセットのみによって復号可能である第２のプリアンブル・フィールドを備える、Ｃ１３に記載の装置。
［Ｃ１５］
前記第１の周波数ドメイン極性シーケンスは、−１または＋１の所定のシーケンスを備える、Ｃ１３に記載の装置。
［Ｃ１６］
前記第１のプリアンブル・フィールドは、３の倍数ではない長さ指示を備える、Ｃ１３に記載の装置。
［Ｃ１７］
第２の周波数ドメイン極性シーケンスを第２のプリアンブル・フィールドにかけることによって第２の反復プリアンブル・フィールドを生成するための手段をさらに備え、ここにおいて前記パケットは、他の反復プリアンブル・フィールドを備える、Ｃ１３に記載の装置。
［Ｃ１８］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ１３に記載の装置。
［Ｃ１９］
コードを備える非一時的なコンピュータ可読媒体であって、前記コードは、実行されるとき、装置に、
第１のプリアンブル・フィールドを備えるパケットを生成することと、
第１の周波数ドメイン極性シーケンスを前記第１のプリアンブル・フィールドにかけることによって第１の反復プリアンブル・フィールドを生成することと、
前記装置から前記パケットを送信することと、を行わせ、ここにおいて前記パケットは、前記第１のプリアンブル・フィールドおよび前記第１の反復プリアンブル・フィールドを備える、コンピュータ可読媒体。
［Ｃ２０］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ１９に記載の媒体。